(57)【特許請求の範囲】
【請求項１】
足底を支持する支持面のうちの少なくとも一部を構成する足底支持具であって、
各足趾において末節骨近位の関節が基節骨近位の関節よりも上方に位置するように、各足趾に対して、前記支持面のうちの、基節骨近位の関節の下方の部分よりも高い位置にて、前記支持面のうちの、末節骨の少なくとも一部の下方の部分を構成する高位部を備え、
第２趾乃至第５趾の中の少なくとも１つの足趾のそれぞれの下方において、当該足趾の先端から基端へ向かう方向における前記高位部の端は、当該足趾の中節骨の中央よりも当該足趾の先端に近い位置を有する、足底支持具。
【請求項２】
足底を支持する支持面のうちの少なくとも一部を構成する足底支持具であって、
各足趾において末節骨近位の関節が基節骨近位の関節よりも上方に位置するように、各足趾に対して、前記支持面のうちの、基節骨近位の関節の下方の部分よりも高い位置にて、前記支持面のうちの、末節骨の少なくとも一部の下方の部分を構成する高位部を備え、
第２趾乃至第５趾の中の少なくとも１つの足趾のそれぞれの下方において、当該足趾の先端から基端へ向かう方向における前記高位部の端は、当該足趾の中節骨遠位の関節よりも当該足趾の基端に近い位置を有する、足底支持具。
【請求項３】
請求項１又は請求項２に記載の足底支持具であって、
第１趾の下方において、当該第１趾の先端から基端へ向かう方向における前記高位部の端は、当該第１趾の基節骨の中央と当該第１趾の末節骨の中央との間の位置を有する、足底支持具。
【請求項４】
請求項１乃至請求項３のいずれか一項に記載の足底支持具であって、
各足趾に対して、当該足趾の先端から基端へ向かうにつれて低くなる位置にて、前記支持面のうちの、当該足趾の先端から基端へ向かう方向において前記高位部と互いに隣り合い且つ前記高位部よりも当該足趾の基端側に位置する部分を構成する変位部を備える、足底支持具。
【請求項５】
請求項１乃至請求項４のいずれか一項に記載の足底支持具であって、
足趾に沿った方向に直交する鉛直面による断面において、前記高位部は、前記足趾の両端部の下方の部分が前記足趾の中央部の下方の部分よりも高くなるように湾曲する、足底支持具。
【発明の詳細な説明】
【技術分野】
【０００１】
本発明は、足底支持具に関する。
【背景技術】
【０００２】
特許文献１に記載のように、末節骨に骨折を有する指に用いられる三点支持型の指装具が知られている。指装具は、中節骨の下方にて指に接する近位部と、末節骨の下方にて指に接する遠位部と、末節骨近位の関節（換言すると、中節骨と末節骨との関節）の上方にて指に接する指背おさえと、を備える。これによれば、末節骨に骨折を有する指における末節骨近位の関節を伸展させた状態に維持できる。
【先行技術文献】
【特許文献】
【０００３】
【特許文献１】実用新案登録第３１０３３６６号公報
【発明の概要】
【発明が解決しようとする課題】
【０００４】
ところで、足趾における変形症として、ハンマートウ、又は、クロートウ等の屈趾症が知られている。屈趾症においては、第１趾乃至第５趾の基節骨遠位の関節の少なくとも１つが過度に屈曲してしまうことがある。第１趾の基節骨遠位の関節は、第１趾における基節骨と末節骨との関節である。また、第２乃至第５趾の基節骨遠位の関節は、基節骨と中節骨との関節である。【０００５】
そこで、上記指装具を、屈趾症の足趾に用いることが考えられる。しかしながら、上記指装具を用いた場合、基節骨遠位の関節が固定される。これにより、当該関節の近傍の関節の運動の自由度も低下しやすい。また、運動（例えば、歩行する、又は、ペダルを踏む等）時においては、屈趾症の足趾の先端部に加えられる力によって痛みが生じやすい。この結果、屈趾症の使用者が上記指装具を使用した場合に、使用者が運動することが困難であるという課題があった。【０００６】
本発明の目的の一つは、屈趾症の使用者が使用した場合に使用者が運動しやすくなることである。
【課題を解決するための手段】
【０００７】
一つの側面では、足底支持具は、足底を支持する支持面のうちの少なくとも一部を構成する。足底支持具は、各足趾において末節骨近位の関節が基節骨近位の関節よりも上方に位置するように、各足趾に対して、支持面のうちの、基節骨近位の関節の下方の部分よりも高い位置にて、支持面のうちの、末節骨の少なくとも一部の下方の部分を構成する高位部を備える。
【発明の効果】
【０００８】
屈趾症の使用者が足底支持具を使用することにより、使用者が運動しやすくなる。
【図面の簡単な説明】
【０００９】
【図１】第１実施形態の足底支持具及びソール部の斜視図である。
【図２】第１実施形態の足底支持具及びソール部の平面図である。
【図３】第１実施形態の足底支持具及びソール部の部分断面図である。
【図４】第１実施形態の足底支持具の斜視図である。
【図５】第１実施形態の足底支持具の斜視図である。
【図６】第１実施形態の足底支持具の平面図である。
【図７】第１実施形態の足底支持具の底面図である。
【図８】第１実施形態の足底支持具の正面図である。
【図９】第１実施形態の足底支持具の背面図である。
【図１０】第１実施形態の足底支持具の右側面図である。
【図１１】第１実施形態の足底支持具の左側面図である。
【図１２】第２実施形態の足底支持具の斜視図である。
【図１３】第２実施形態の足底支持具の平面図である。
【図１４】第２実施形態の足底支持具の底面図である。
【図１５】第２実施形態の足底支持具の正面図である。
【図１６】第２実施形態の足底支持具の背面図である。
【図１７】第２実施形態の足底支持具の右側面図である。
【図１８】第２実施形態の足底支持具の左側面図である。
【図１９】第３実施形態の立体型槌指矯正具の側面図である。
【図２０】第３実施形態の立体型槌指矯正具左足上面図である。
【発明を実施するための形態】
【００１０】
以下、本発明の足底支持具に関する各実施形態について、図１乃至図２０を参照しながら説明する。
【００１１】
＜第１実施形態＞
（概要）
第１実施形態の足底支持具は、足底を支持する支持面のうちの少なくとも一部を構成する。
足底支持具は、各足趾において末節骨近位の関節が基節骨近位の関節よりも上方に位置するように、各足趾に対して、支持面のうちの、基節骨近位の関節の下方の部分よりも高い位置にて、支持面のうちの、末節骨の少なくとも一部の下方の部分を構成する高位部を備える。
【００１２】
これによれば、各足趾の末節骨近位の関節は、基節骨近位の関節よりも上方に位置させられる。これにより、各足趾の基節骨遠位の関節を伸展させた状態に近づけることができる。更に、足底に加えられる力の全体に対する、各足趾の先端部に加えられる力の割合を小さくすることができる。
【００１３】
このように、上記足底支持具によれば、各足趾の基節骨遠位の関節の少なくとも１つが過度に屈曲した状態で、各足趾の先端部に過大な力が加えられることを回避できる。更に、各足趾の基節骨遠位の関節が固定されている場合よりも、当該関節及び当該関節の近傍の関節の運動の自由度を高めることができる。この結果、屈趾症の使用者が上記足底支持具を使用することにより、使用者が運動しやすくなる。
次に、第１実施形態の足底支持具について、図１乃至図１１を参照しながら詳細に説明する。
【００１４】
（構成）
以下、図１乃至図３に表されるように、ｘ軸、ｙ軸、及び、ｚ軸を有する右手系の直交座標系を用いて、第１実施形態の足底支持具１０を説明する。なお、本明細書において、後述の図４乃至図１８においても同様の座標系が用いられる。
また、本明細書においては、左足に対する足底支持具１０について説明する。なお、右足に対する足底支持具１０は、左足に対する足底支持具１０と左右対称であるため、説明が省略される。
【００１５】
本例では、ｘ軸方向、ｙ軸方向、及び、ｚ軸方向は、足底支持具１０の左右方向、足底支持具１０の前後方向、及び、足底支持具１０の上下方向とそれぞれ表されてもよい。また、本例では、ｘ軸の正方向、ｘ軸の負方向、ｙ軸の正方向、ｙ軸の負方向、ｚ軸の正方向、及び、ｚ軸の負方向は、足底支持具１０の右方向、足底支持具１０の左方向、足底支持具１０の前方向、足底支持具１０の後方向、足底支持具１０の上方向、及び、足底支持具１０の下方向とそれぞれ表されてもよい。
本例では、ｚ軸の正方向、及び、ｚ軸の負方向は、鉛直上方向、及び、鉛直下方向にそれぞれ一致する。
【００１６】
図１乃至図３に表されるように、第１実施形態の足底支持具１０は、ソール部２０の鉛直上方における端面である上面２１に固定される。本明細書においては、鉛直上方、及び、鉛直下方は、上方、及び、下方ともそれぞれ表される。
【００１７】
図１は、足底支持具１０の右方であり、足底支持具１０の後方であり、且つ、足底支持具１０の上方である位置から、足底支持具１０及びソール部２０を見た図（換言すると、右後上方斜視図）である。図２は、足底支持具１０の上方から足底支持具１０及びソール部２０を見た図（換言すると、平面図）である。図３は、図２のＩＩＩ−ＩＩＩ線により表される平面により切断された足底支持具１０及びソール部２０の断面の一部をｘ軸の負方向にて見た図である。図２及び図３は、足ＦＦが足底支持具１０及びソール部２０に載置された状態（換言すると、足載置状態）を表す。
【００１８】
本例では、上面２１は、足底支持具１０とともに、使用者の足底を支持する支持面を構成する。なお、足底支持具１０は、足趾支持具、又は、足趾矯正具と表されてもよい。
【００１９】
本例では、ソール部２０は、靴型装具、又は、下肢装具等の装具の最下層部を構成する。例えば、足底支持具１０は、屈趾症の使用者による運動を補助するための運動補助具として用いられてよい。また、例えば、足底支持具１０は、屈趾症の足趾を矯正するための矯正具として用いられてよい。
【００２０】
なお、ソール部２０は、靴、スリッパ、又は、サンダル等の履物の最下層部を構成していてもよい。また、ソール部２０は、装具、又は、履物の、中敷き（換言すると、インソール、又は、フッドベッド）を構成していてもよい。また、ソール部２０は、歩行、若しくは、自転車を漕ぐ運動等を模擬する運動器具、又は、リハビリテーションにおいて用いられる運動器具におけるペダルを構成していてもよい。
【００２１】
本例では、上面２１は、水平面に一致する平面である。なお、上面２１は、足底の少なくとも一部の凹凸に沿う凹凸を有していてもよい。
【００２２】
本例では、足底支持具１０は、接着剤を用いて上面２１に固定される。なお、足底支持具１０は、接着剤に加えて、又は、接着剤に代えて、螺子等の締結具を用いて上面２１に固定されてもよい。また、足底支持具１０は、接着剤に加えて、又は、接着剤に代えて、帯状又は紐状の連結具を用いて上面２１に固定されてもよい。
なお、足底支持具１０は、ソール部２０と一体に構成されていてもよい。
【００２３】
図２に表されるように、足底支持具１０は、足載置状態において、上面２１のうちの、足ＦＦの先端部の下方に位置する。本例では、足底支持具１０は、足載置状態において、上面２１のうちの、足ＦＦの第１趾ＦＦ１、第２趾ＦＦ２、第３趾ＦＦ３、第４趾ＦＦ４、及び、第５趾ＦＦ５の下方に位置する。
【００２４】
図４乃至図１１に表されるように、足底支持具１０は、立体である。本例では、足底支持具１０は、中実である。
本例では、足底支持具１０は、ゴム弾性を有する材料からなる。例えば、足底支持具１０は、天然ゴム、合成ゴム、合成樹脂、又は、エラストマーからなる。本例では、足底支持具１０は、シリコーンゴムからなる。また、足底支持具１０は、ゴム弾性を有しない材料（例えば、合成樹脂、又は、金属等）からなっていてもよい。なお、足底支持具１０は、複数の材料からなっていてもよい。この場合、足底支持具１０は、複数の材料によりそれぞれ構成される複数の層を有していてもよい。また、足底支持具１０の表面の少なくとも一部（例えば、足底と接する部分）は、繊維等の被覆体により被覆されていてもよい。
【００２５】
図４は、足底支持具１０の右後上方斜視図である。図５は、足底支持具１０の左方であり、足底支持具１０の後方であり、且つ、足底支持具１０の上方である位置から、足底支持具１０を見た図（換言すると、左後上方斜視図）である。図６は、足底支持具１０の平面図である。図７は、足底支持具１０の下方から足底支持具１０を見た図（換言すると、底面図）である。図８は、足底支持具１０の前方から足底支持具１０を見た図（換言すると、正面図）である。図９は、足底支持具１０の後方から足底支持具１０を見た図（換言すると、背面図）である。図１０は、足底支持具１０の右方から足底支持具１０を見た図（換言すると、右側面図）である。図１１は、足底支持具１０の左方から足底支持具１０を見た図（換言すると、左側面図）である。
【００２６】
図４乃至図１１に表されるように、足底支持具１０は、ｙ軸の負方向における端面を構成する後面１１と、ｚ軸の正方向における端面を構成する上面１２と、ｙ軸の正方向における端面を構成する前面１３と、ｚ軸の負方向における端面を構成する下面１４と、を有する。
【００２７】
図６に表されるように、上面１２は、ｘ軸方向に沿って延びる三日月状である。上面１２のうちの、ｙ軸の正方向における端（換言すると、上面１２の前縁）、及び、上面１２のうちの、ｙ軸の負方向における端（換言すると、上面１２の後縁）のそれぞれは、ｘ軸方向における中央部が、ｘ軸方向における両端部よりもｙ軸の正方向へ突出するように湾曲する形状を有する。
【００２８】
図７に表されるように、下面１４は、ｘ軸方向に沿って延びる三日月状である。下面１４のうちの、ｙ軸の正方向における端（換言すると、下面１４の前縁）、及び、下面１４のうちの、ｙ軸の負方向における端（換言すると、下面１４の後縁）のそれぞれは、ｘ軸方向における中央部が、ｘ軸方向における両端部よりもｙ軸の正方向へ突出するように湾曲する形状を有する。
【００２９】
図６及び図７に表されるように、上面１２のｙ軸方向における長さは、下面１４のｙ軸方向における長さよりも短い。上面１２の後縁は、下面１４の後縁よりも、ｙ軸の正方向の位置を有する。本例では、上面１２の前縁は、下面１４の前縁よりも、ｙ軸の正方向の位置を有する。
【００３０】
図４乃至図６に表されるように、後面１１は、上面１２の後縁と、下面１４の後縁と、を連結する。換言すると、後面１１のうちの、ｚ軸の正方向における端（換言すると、後面１１の上縁）は、上面１２の後縁に一致するとともに、後面１１のうちの、ｚ軸の負方向における端（換言すると、後面１１の下縁）は、下面１４の後縁に一致する。
【００３１】
図４、図８、及び、図１０に表されるように、前面１３は、上面１２の前縁と、下面１４の前縁と、を連結する。換言すると、前面１３のうちの、ｚ軸の正方向における端（換言すると、前面１３の上縁）は、上面１２の前縁に一致するとともに、前面１３のうちの、ｚ軸の負方向における端（換言すると、前面１３の下縁）は、下面１４の前縁に一致する。
【００３２】
本例では、図４乃至図６に表されるように、後面１１と上面１２との間の境界部（換言すると、連結部）、上面１２と前面１３との間の境界部、及び、後面１１と前面１３との間の境界部のそれぞれは、角に丸みを有する（換言すると、角丸形状を有する）。なお、後面１１と上面１２との間の境界部、上面１２と前面１３との間の境界部、及び、後面１１と前面１３との間の境界部の少なくとも１つは、角に丸みを有していなくてもよい。
【００３３】
足底支持具１０の後面１１及び上面１２は、ソール部２０の上面２１とともに、使用者の足底を支持する支持面を構成する。
本例では、図３乃至図６に表されるように、足底支持具１０の上面１２は、水平面に一致する平面である。
【００３４】
図３に表されるように、上面１２は、第２趾ＦＦ２において末節骨ＢＮ１近位の関節が基節骨ＢＮ３近位の関節よりも上方に位置するように、支持面のうちの、基節骨ＢＮ３近位の関節の下方の部分（本例では、上面２１）よりも高い位置にて、支持面のうちの、末節骨ＢＮ１の少なくとも一部（本例では、略全体）の下方の部分を構成する。
【００３５】
第２趾ＦＦ２乃至第５趾ＦＦ５のそれぞれにおいて、末節骨ＢＮ１近位の関節は、遠位趾節間関節（ＤＩＰ（Ｄｉｓｔａｌｉｎｔｅｒｐｈａｌａｎｇｅａｌ）関節）、中節骨ＢＮ２遠位の関節、又は、末節骨ＢＮ１と中節骨ＢＮ２との関節と表されてもよい。
【００３６】
また、第１趾ＦＦ１において、末節骨ＢＮ１近位の関節は、趾節間関節（ＩＰ（Ｉｎｔｅｒｐｈａｌａｎｇｅａｌ）関節）、基節骨ＢＮ３遠位の関節、又は、末節骨ＢＮ１と基節骨ＢＮ３との関節と表されてもよい。
【００３７】
また、第１趾ＦＦ１乃至第５趾ＦＦ５のそれぞれにおいて、基節骨ＢＮ３近位の関節は、中足趾節関節（ＭＴＰ（Ｍｅｔａｃａｒｐｏｐｈａｌａｎｇｅａｌ）関節）、中足骨ＢＮ４遠位の関節、又は、基節骨ＢＮ３と中足骨ＢＮ４との関節と表されてもよい。
【００３８】
また、第２趾ＦＦ２乃至第５趾ＦＦ５のそれぞれにおいて、中節骨ＢＮ２近位の関節は、近位趾節間関節（ＰＩＰ（Ｐｒｏｘｉｍａｌ  Ｉｎｔｅｒｐｈａｌａｎｇｅａｌ）関節）、基節骨ＢＮ３遠位の関節、又は、中節骨ＢＮ２と基節骨ＢＮ３との関節と表されてもよい。
【００３９】
本例では、上面１２は、第１趾ＦＦ１、及び、第３趾ＦＦ３乃至第５趾ＦＦ５のそれぞれに対しても、第２趾ＦＦ２と同様に、末節骨ＢＮ１近位の関節が基節骨ＢＮ３近位の関節よりも上方に位置するように、支持面のうちの、基節骨ＢＮ３近位の関節の下方の部分（本例では、上面２１）よりも高い位置にて、支持面のうちの、末節骨ＢＮ１の少なくとも一部（本例では、略全体）の下方の部分を構成する。
【００４０】
このように、足底支持具１０の上面１２は、各足趾（本例では、第１趾ＦＦ１乃至第５趾ＦＦ５のそれぞれ）において末節骨ＢＮ１近位の関節が基節骨ＢＮ３近位の関節よりも上方に位置するように、各足趾に対して、支持面のうちの、基節骨ＢＮ３近位の関節の下方の部分よりも高い位置にて、支持面のうちの、末節骨ＢＮ１の少なくとも一部の下方の部分を構成する。従って、本例では、足底支持具１０の上面１２は、高位部に対応する。
【００４１】
本例では、足底支持具１０の上面１２は、各足趾に対して、支持面のうちの、基節骨ＢＮ３近位の関節の下方の部分（本例では、ソール部２０の上面２１）よりも、所定の上面高さだけ高い。上面高さは、使用者の足趾の形状、及び、使用者の屈趾症の症状の程度等に応じて設定されることが好適である。
【００４２】
例えば、上面高さは、５ｍｍ乃至２０ｍｍである。ところで、上面高さが７ｍｍよりも低い場合、末節骨ＢＮ１近位の関節が屈曲する程度が過大になる虞がある。また、上面高さが１５ｍｍよりも高い場合、足趾の先端が上面１２から滑落する虞がある。このため、上面高さは、７ｍｍ乃至１５ｍｍであることが好適である。本例では、上面高さは、略１０ｍｍである。
【００４３】
本例では、上面１２の後縁は、第１趾ＦＦ１乃至第５趾ＦＦ５のそれぞれの、末節骨ＢＮ１近位の関節の近傍の下方に位置する。
【００４４】
図３に表されるように、後面１１は、第２趾ＦＦ２の先端から基端へ向かうにつれて低くなる位置にて、支持面のうちの、第２趾ＦＦ２の先端から基端へ向かう方向において上面１２と互いに隣り合い且つ上面１２よりも第２趾ＦＦ２の基端側に位置する部分を構成する。本例では、図３に表されるように、後面１１は、第２趾ＦＦ２に沿って延在する鉛直面による断面において、水平面に対して傾斜する直線状である。
【００４５】
本例では、後面１１は、第１趾ＦＦ１、及び、第３趾ＦＦ３乃至第５趾ＦＦ５のそれぞれに対しても、第２趾ＦＦ２と同様に、当該足趾の先端から基端へ向かうにつれて低くなる位置にて、支持面のうちの、当該足趾の先端から基端へ向かう方向において上面１２と互いに隣り合い且つ上面１２よりも当該足趾の基端側に位置する部分を構成する。更に、本例では、後面１１は、、第１趾ＦＦ１、及び、第３趾ＦＦ３乃至第５趾ＦＦ５のそれぞれに対しても、第２趾ＦＦ２と同様に、当該足趾に沿って延在する鉛直面による断面において、水平面に対して傾斜する直線状である。
【００４６】
このように、足底支持具１０の後面１１は、第１趾ＦＦ１乃至第５趾ＦＦ５のそれぞれ（換言すると、各足趾）に対して、当該足趾の先端から基端へ向かうにつれて低くなる位置にて、支持面のうちの、当該足趾の先端から基端へ向かう方向において上面１２と互いに隣り合い且つ上面１２よりも当該足趾の基端側に位置する部分を構成する。従って、本例では、足底支持具１０の後面１１は、変位部に対応する。
【００４７】
本例では、足底支持具１０の上面１２及び後面１１は、各足趾に対して、当該足趾に沿って延在する鉛直面による断面において、上面１２の両端を結ぶ直線（換言すると、上面１２の前縁と上面１２の後縁とを結ぶ直線）と、後面１１の両端を結ぶ直線（換言すると、後面１１の上縁と後面１１の下縁とを結ぶ直線）と、により所定の傾斜角度を形成する。傾斜角度は、使用者の足趾の形状、及び、使用者の屈趾症の症状の程度等に応じて設定されることが好適である。
【００４８】
例えば、傾斜角度は、１１０度乃至１６５度の角度である、ところで、傾斜角度が１２５度よりも小さい場合、末節骨ＢＮ１近位の関節が屈曲する程度が過大になる虞がある。また、傾斜角度が１５０度よりも大きい場合、末節骨ＢＮ１近位の関節が過度に伸展する虞がある。このため、傾斜角度は、１２５度乃至１５０度であることが好適である。
【００４９】
以上、説明したように、第１実施形態の足底支持具１０は、足底を支持する支持面のうちの少なくとも一部を構成する。足底支持具１０は、各足趾において末節骨ＢＮ１近位の関節が基節骨ＢＮ３近位の関節よりも上方に位置するように、各足趾に対して、支持面のうちの、基節骨ＢＮ３近位の関節の下方の部分よりも高い位置にて、支持面のうちの、末節骨ＢＮ１の少なくとも一部の下方の部分を構成する高位部（本例では、上面１２）を備える。
【００５０】
これによれば、各足趾の末節骨ＢＮ１近位の関節は、基節骨ＢＮ３近位の関節よりも上方に位置させられる。これにより、各足趾の基節骨ＢＮ３遠位の関節を伸展させた状態に近づけることができる。更に、足底に加えられる力の全体に対する、各足趾の先端部に加えられる力の割合を小さくすることができる。
【００５１】
このように、足底支持具１０によれば、各足趾の基節骨ＢＮ３遠位の関節の少なくとも１つが過度に屈曲した状態で、各足趾の先端部に過大な力が加えられることを回避できる。更に、各足趾の基節骨ＢＮ３遠位の関節が固定されている場合よりも、当該関節及び当該関節の近傍の関節の運動の自由度を高めることができる。この結果、屈趾症の使用者が足底支持具１０を使用することにより、使用者が運動しやすくなる。
【００５２】
更に、第１実施形態の足底支持具１０において、第２趾ＦＦ２乃至第５趾ＦＦ５の中の少なくとも１つの足趾のそれぞれの下方において、当該足趾の先端から基端へ向かう方向における高位部の端（本例では、上面１２の後縁）は、当該足趾の中節骨ＢＮ２の中央よりも当該足趾の先端に近い位置を有する。
【００５３】
ところで、ハンマートウにおいては、第２趾ＦＦ２乃至第５趾ＦＦ５の中節骨ＢＮ２遠位の関節の少なくとも１つが過度に伸展してしまうことがある。これに対し、足底支持具１０によれば、ハンマートウの足趾において、中節骨ＢＮ２遠位の関節を適切に屈曲させることができる。これにより、ハンマートウの足趾において、中節骨ＢＮ２遠位の関節が過度に伸展した状態で、当該足趾の先端部に過大な力が加えられることを回避できる。この結果、屈趾症の使用者が足底支持具１０を使用することにより、使用者が運動しやすくなる。
【００５４】
更に、第１実施形態の足底支持具１０において、第２趾ＦＦ２乃至第５趾ＦＦ５の中の少なくとも１つの足趾のそれぞれの下方において、当該足趾の先端から基端へ向かう方向における高位部の端（本例では、上面１２の後縁）は、当該足趾の中節骨ＢＮ２遠位の関節よりも当該足趾の基端に近い位置を有する。
【００５５】
ところで、クロートウにおいては、第２趾ＦＦ２乃至第５趾ＦＦ５の中節骨ＢＮ２遠位の関節の少なくとも１つが過度に屈曲してしまうことがある。これに対し、足底支持具１０によれば、クロートウの足趾において、中節骨ＢＮ２遠位の関節を伸展させた状態に近づけることができる。これにより、クロートウの足趾において、中節骨ＢＮ２遠位の関節が過度に屈曲した状態で、当該足趾の先端部に過大な力が加えられることを回避できる。この結果、屈趾症の使用者が足底支持具１０を使用することにより、使用者が運動しやすくなる。
【００５６】
更に、第１実施形態の足底支持具１０は、各足趾に対して、当該足趾の先端から基端へ向かうにつれて低くなる位置にて、支持面のうちの、当該足趾の先端から基端へ向かう方向において高位部（本例では、上面１２）と互いに隣り合い且つ高位部よりも当該足趾の基端側に位置する部分を構成する変位部（本例では、後面１１）を備える。
【００５７】
ところで、運動に伴って足底の一部が支持面に対して摺動することにより、各足趾の基節骨ＢＮ３近位の関節が当該足趾の先端へ近づくように移動することがある。この場合、当該足趾の基節骨ＢＮ３遠位の関節が過度に屈曲する虞がある。
【００５８】
これに対し、足底支持具１０によれば、運動に伴って足底の一部が支持面に対して摺動した場合であっても、足底が変位部に当接することにより、各足趾の基節骨ＢＮ３近位の関節が当該足趾の先端へ近づくことを抑制できる。従って、各足趾の基節骨ＢＮ３遠位の関節の少なくとも１つが過度に屈曲した状態で、各足趾の先端部に過大な力が加えられることを回避できる。この結果、屈趾症の使用者が足底支持具１０を使用することにより、使用者が運動しやすくなる。
【００５９】
また、第１実施形態の足底支持具１０において、上面１２及び後面１１は、各足趾に対して、当該足趾に沿って延在する鉛直面による断面にて連続する。
これによれば、足底と足底支持具１０とが接触する面積を大きくすることができる。これにより、足底に加えられる力を分散できる。更に、足底が足底支持具１０に対して移動することを抑制できる。この結果、屈趾症の使用者が足底支持具１０を使用することにより、使用者が運動しやすくなる。
【００６０】
なお、第１実施形態の変形例の足底支持具１０において、上面１２及び後面１１は、複数の構成体によりそれぞれ構成されていてもよい。この場合、上面１２及び後面１１は、各足趾に対して、当該足趾に沿って延在する鉛直面による断面にて、離間していてもよい。
【００６１】
また、第１実施形態の足底支持具１０において、上面１２は、各足趾に対して、当該足趾に沿って延在する鉛直面による断面において、上面１２の両端を結ぶ直線（換言すると、上面１２の前縁と上面１２の後縁とを結ぶ直線）は、水平方向にて延在する。
これによれば、末節骨ＢＮ１近位の関節が過度に伸展すること、及び、末節骨ＢＮ１近位の関節が過度に屈曲すること、を抑制できる。この結果、屈趾症の使用者が足底支持具１０を使用することにより、使用者が運動しやすくなる。
【００６２】
ところで、第１実施形態の足底支持具１０は、中実である。なお、第１実施形態の変形例の足底支持具１０は、中空であってもよい。また、第１実施形態の変形例の足底支持具１０は、上面１２及び後面１１を構成する板状の部材と、当該板状の部材を支持する柱状の部材と、により構成されていてもよい。
【００６３】
また、第１実施形態の変形例の足底支持具１０において、上面１２及び後面１１のそれぞれは、複数（例えば、多数）の構成体により構成されていてもよい。この場合、構成体間に隙間が設けられていてもよい。また、この場合、各構成体は、柱状の部材であってもよい。
【００６４】
ところで、第１実施形態の足底支持具１０において、上面１２の後縁は、下面１４の後縁よりも、ｙ軸の正方向の位置を有する。なお、第１実施形態の変形例の足底支持具１０において、上面１２の後縁は、下面１４の後縁とｙ軸方向における同じ位置を有していてもよく、下面１４の後縁よりも、ｙ軸の負方向の位置を有していてもよい。
【００６５】
ところで、第１実施形態の足底支持具１０において、上面１２の前縁は、下面１４の前縁よりも、ｙ軸の正方向の位置を有する。なお、第１実施形態の変形例の足底支持具１０において、上面１２の前縁は、下面１４の前縁とｙ軸方向における同じ位置を有していてもよく、下面１４の前縁よりも、ｙ軸の負方向の位置を有していてもよい。
【００６６】
ところで、第１実施形態の足底支持具１０において、上面１２は、水平面に一致する。
なお、第１実施形態の変形例の足底支持具１０において、上面１２は、上面１２の前縁が上面１２の後縁よりも上方に位置するように水平面に対して傾斜していてもよい。これによれば、末節骨ＢＮ１近位の関節をより一層伸展させた状態に近づけることができる。
また、第１実施形態の変形例の足底支持具１０において、上面１２は、上面１２の前縁が上面１２の後縁よりも下方に位置するように水平面に対して傾斜していてもよい。これによれば、足趾の先端が上面１２から滑落することを抑制できる。
【００６７】
ところで、第１実施形態の足底支持具１０において、上面１２は、平面である。
なお、第１実施形態の変形例の足底支持具１０において、上面１２は、各足趾に対して、当該足趾に沿って延在する鉛直面による断面において、中央部が窪むように湾曲していてもよい。
【００６８】
また、第１実施形態の足底支持具１０において、後面１１は、各足趾に対して、当該足趾に沿って延在する鉛直面による断面において直線状である。
なお、第１実施形態の変形例の足底支持具１０において、後面１１は、各足趾に対して、当該足趾に沿って延在する鉛直面による断面において、中央部が窪むように湾曲していてもよい。
【００６９】
ところで、第１実施形態の足底支持具１０において、上面１２の後縁は、第１趾ＦＦ１乃至第５趾ＦＦ５のそれぞれの、末節骨ＢＮ１近位の関節の近傍の下方に位置する。
なお、第１実施形態の変形例の足底支持具１０において、上面１２の後縁は、第１趾ＦＦ１乃至第５趾ＦＦ５の中の少なくとも１つの足趾のそれぞれの下方において、末節骨ＢＮ１近位の関節と末節骨ＢＮ１の中央との間に位置していてもよい。また、第１実施形態の変形例の足底支持具１０において、上面１２の後縁は、第１趾ＦＦ１の下方において、第１趾ＦＦ１の基節骨ＢＮ３の中央と末節骨ＢＮ１近位の関節との間に位置していてもよい。また、第１実施形態の変形例の足底支持具１０において、上面１２の後縁は、第２趾ＦＦ２乃至第５趾ＦＦ５の中の少なくとも１つの足趾のそれぞれの下方において、当該足趾の中節骨ＢＮ２の中央と末節骨ＢＮ１近位の関節との間に位置していてもよい。
【００７０】
また、第１実施形態の変形例の足底支持具１０において、上面１２の後縁は、第２趾ＦＦ２乃至第５趾ＦＦ５の中の少なくとも１つの足趾のそれぞれの下方において、当該足趾の中節骨ＢＮ２遠位の関節よりも当該足趾の基端に近い位置（例えば、中節骨ＢＮ２近位の関節の近傍の位置）を有していてもよい。この場合、例えば、上面１２の後縁は、第４趾ＦＦ４及び第５趾ＦＦ５のそれぞれの下方において、中節骨ＢＮ２近位の関節の近傍に位置していてもよい。
【００７１】
また、第１実施形態の変形例の足底支持具１０は、上面１２において、足趾間の隔壁を備えていてもよい。
【００７２】
＜第２実施形態＞
次に、第２実施形態の足底支持具について説明する。第２実施形態の足底支持具は、第１実施形態の足底支持具に対して、足底支持具の上面が凹凸を有する点において相違している。以下、相違点を中心として説明する。なお、第２実施形態の説明において、第１実施形態にて使用した符号と同じ符号を付したものは、同一又は略同様のものである。
【００７３】
図１２乃至図１８に表されるように、第２実施形態の足底支持具１０Ａは、第１実施形態の上面１２に代えて、上面１２Ａを備える。
【００７４】
図１２は、足底支持具１０Ａの右後上方斜視図である。図１３は、足底支持具１０Ａの平面図である。図１４は、足底支持具１０Ａの底面図である。図１５は、足底支持具１０Ａの正面図である。図１６は、足底支持具１０Ａの背面図である。図１７は、足底支持具１０Ａの右側面図である。図１８は、足底支持具１０Ａの左側面図である。
【００７５】
図１２及び図１３に表されるように、上面１２Ａは、第１趾ＦＦ１乃至第５趾ＦＦ５の下方にそれぞれ位置する、第１凹部１２Ａ１、第２凹部１２Ａ２、第３凹部１２Ａ３、第４凹部１２Ａ４、及び、第５凹部１２Ａ５を有する。
第１凹部１２Ａ１は、第１趾ＦＦ１に沿った方向に直交する鉛直面による断面において、第１趾ＦＦ１の両端部の下方の部分が第１趾ＦＦ１の中央部の下方の部分よりも高くなるように湾曲する。第２凹部１２Ａ２乃至第５凹部１２Ａ５のそれぞれも、第１趾ＦＦ１に代えて、第２趾ＦＦ２乃至第５趾ＦＦ５にそれぞれ対応する点を除いて、第１凹部１２Ａ１と同様に構成される。
【００７６】
以上、説明したように、第２実施形態の足底支持具１０Ａによれば、第１実施形態の足底支持具１０と同様の作用及び効果が奏される。
更に、第２実施形態の足底支持具１０Ａにおいては、足趾に沿った方向に直交する鉛直面による断面において、高位部（本例では、上面１２Ａ）は、当該足趾の両端部の下方の部分が当該足趾の中央部の下方の部分よりも高くなるように湾曲する。
【００７７】
これによれば、足底と足底支持具１０Ａとが接触する面積を大きくすることができる。これにより、足底に加えられる力を分散できる。更に、足趾が足底支持具１０Ａに対して移動することを抑制できる。この結果、屈趾症の使用者が足底支持具１０Ａを使用することにより、使用者が運動しやすくなる。
【００７８】
なお、第２実施形態の変形例の足底支持具１０Ａにおいて、上面１２Ａは、第１趾ＦＦ１乃至第５趾ＦＦ５の一部の足趾のそれぞれに対してのみ凹部を有していてもよい。この場合、例えば、上面１２Ａは、第５趾ＦＦ５に対してのみ凹部を有していてもよく、第４趾ＦＦ４及び第５趾ＦＦ５のそれぞれに対してのみ凹部を有していてもよい。
【００７９】
＜第３実施形態＞
次に、第３実施形態の足底支持具について説明する。本例では、足底支持具は、立体型槌指矯正具、又は、立体構造パットと表されることがある。
【００８０】
（技術分野）
第３実施形態は、足趾槌指矯正に用いられる矯正具、さらに詳しくは足趾の関節を伸展状態に保持する事により槌指を矯正する立体型槌指矯正具である。
【００８１】
（背景技術）
足趾の槌指（ハンマートゥー）は、様々な原因により足趾が屈曲した状態の症状である。立位や歩行時に足趾部が加圧され痛みが伴う事が原因となり、殊に麻痺患者のリハビリテーションを行う上の、最大の障害の一つである。
【００８２】
人体の足趾部の近位指節間関節（ＰＩＰ）及び、遠位指節間関節（ＤＩＰ）は、蝶番関節の形態であり、運動は、伸展、屈曲のみである。蝶番関節である近位指節間関節（ＰＩＰ）及び、遠位指節間関節（ＤＩＰ）に屈曲制限を加えた状態を保持する事より槌指症状の改善が見込まれる。
【００８３】
従来の槌指矯正具は、上記の足趾伸展状態を足底部が平面状の状態で関節上部から加圧、若しくは、足趾をベルト等で固定する事により保持する方法を採用している。
【００８４】
（解決しようとする課題）
従来の槌指矯正具では、足趾の屈曲力の強弱において、足趾の屈曲が制限されず、槌指症状が改善されない症例が散見される。
【００８５】
第３実施形態は、足趾の伸展状態を保持するための足趾底部の立体構造パットに関するものである。
【００８６】
（課題を解決するための手段）
即ち、第３実施形態は、足趾底部の、中足指節間関節（ＭＰ）から第一趾指節間関節（ＩＰ）及び、遠位指節間関節（ＤＩＰ）間足趾底部を傾斜状（２）、第一趾指節間関節（ＩＰ）及び、遠位指節間関節（ＤＩＰ）より足趾先端部に平面の形状（１）を有した、足趾形状の矯正を目的とした立体型パッドである。
【００８７】
（効果）
人体の足趾部の近位指節間関節（ＰＩＰ）及び、遠位指節間関節（ＤＩＰ）は、蝶番関節の形態であり、運動は、伸展、屈曲のみである。
中足指節間関節を伸展させた状態で、同時に第一趾指節間関節（ＩＰ）・遠位指節間関節（ＤＩＰ）伸展させた状態を保持し、且つ、足趾先端部に屈曲制限を加えた状態に於いて、蝶番関節である近位指節間関節（ＰＩＰ）及び、遠位指節間関節（ＤＩＰ）は、その構造上、屈曲運動が極めて困難な状態となる。
【００８８】
前記の足趾の状態は、足趾底部に立体型パッドを装着する事により可能となり、足趾の屈曲を制限する事により、槌指症状の矯正が可能となる。
また、従来の方法と比して、足趾の屈曲の強弱による影響を軽減する事が可能となる。
【００８９】
（構成）
次に具体的な例を示す図に基づいて、第３実施形態について説明する。
【００９０】
図１９は、立体型槌指矯正具の側面図である。
図１９の1上部平面部に第一趾指節間関節（ＩＰ）及び、遠位指節間関節（ＤＩＰ）より足趾先端部足底を合わせる。
図１９の２傾斜部上面には、足趾底部の、中足指節間関節（ＭＰ）から第一趾指節間関節（ＩＰ）及び、遠位指節間関節（ＤＩＰ）間足趾底部が接する事になり、図１９の３の平面部上面には、足底部底側が接する事となる。
【００９１】
前記の状態で、図１９の４足部固定用ベルトを用い、足部と立体型槌指矯正具を固定する。
【００９２】
上記の足趾底部と立体型槌指矯正具を固定させた状態で中足指節間関節を伸展させた状態で、同時に第一趾指節間関節（ＩＰ）・遠位指節間関節（ＤＩＰ）伸展させた状態を保持し、且つ、足趾先端部に屈曲制限を加えた状態に於いて、蝶番関節である近位指節間関節（ＰＩＰ）及び、遠位指節間関節（ＤＩＰ）は、その構造上、屈曲運動が極めて困難
な状態となり、槌指症状の矯正効果が得られる。
なお、その方法として立体型パッドを用いるにあたり、本発明は、前記実施の形態に限定されるものではなく、本発明の分野における通常の知識を有する者であれば想到し得る、各種変形、修正を含む、本発明の趣旨を逸脱しない範囲の設計変更があっても、本発明に含まれることは論を俟たない。
【００９３】
（概要）
足趾の槌指（ハンマートゥー）は、様々な原因により足趾が屈曲した状態の症状である。立位や歩行時に足趾部が加圧され痛みが伴う事が原因となり、殊に麻痺患者のリハビリテーションを行う上の、最大の障害の一つである。
従来の槌指矯正具では、足趾の屈曲力の強弱において、足趾の屈曲が制限されず、槌指症状が改善されない症例が散見される。
足趾の伸展状態を足趾底部に立体型パッドを装着する事により保持し、足趾の屈曲を制限する事により、槌指症状の矯正が可能となる。
また、従来の方法と比して、足趾の屈曲の強弱による影響を軽減する事が可能となる。
【００９４】
＜付記＞
また、本発明は、以下のように表されてもよい。
（付記１）
足趾底部の、中足指節間関節（ＭＰ）から第一趾指節間関節（ＩＰ）及び、遠位指節間関節（ＤＩＰ）間足趾底部を傾斜状（２）、第一趾指節間関節（ＩＰ）及び、遠位指節間関節（ＤＩＰ）より足趾先端部に平面の形状（１）を有した、足趾形状の矯正を目的とした立体型パッド。
（付記２）
前記立体型パッド（１、２、３、６）は耐圧性を有するゴム素材又は、それに類する効果を持つ素材を使用し、足趾の伸展を保持する効果を有する付記１に記載の足趾形状の矯正を目的とした立体型パッド。
（付記３）
前記立体型パッドは足底板から連なる形状を有し、足底部分中間層に硬質のプラスティク素材又は、それに類する効果を持つ素材（５）を使用し、足底部の強度を保持する効果を有する付記１に記載の足趾形状の矯正を目的とした立体型パッド。
（付記４）
前記立体型パッドは足底部分中間層の硬質のプラスティク素材又は、それに類する効果を持つ素材に足部固定用ベルト（４）を取り付けし、足部と前記立体型パッドを固定する効果を有する付記１に記載の足趾形状の矯正を目的とした立体型パッド。
【００９５】
なお、本発明は、上述した実施形態に限定されない。例えば、上述した実施形態に、本発明の趣旨を逸脱しない範囲内において当業者が理解し得る様々な変更が加えられてよい。
【００９６】
本発明は、日本国にて２０２０年２月３日に出願された特願２０２０−２７５６７の特許出願に基づく優先権主張の利益を享受するものであり、当該特許出願にて開示された内容のすべてが本明細書に含まれるものとする。
【符号の説明】
【００９７】
１０，１０Ａ  足底支持具
１１    後面
１２，１２Ａ  上面
１２Ａ１  第１凹部
１２Ａ２  第２凹部
１２Ａ３  第３凹部
１２Ａ４  第４凹部
１２Ａ５  第５凹部
１３    前面
１４    下面
２０    ソール部
２１    上面
ＦＦ    足
ＦＦ１  第１趾
ＦＦ２  第２趾
ＦＦ３  第３趾
ＦＦ４  第４趾
ＦＦ５  第５趾
ＢＮ１  末節骨
ＢＮ２  中節骨
ＢＮ３  基節骨
ＢＮ４  中足骨
１    立体型パッド平面部
２    立体型パッド傾斜部
３    足底平面部
４    足部固定用ベルト
５    足底部硬質素材
６    底部
【要約】
足底支持具１０は、足底を支持する支持面のうちの少なくとも一部を構成する。足底支持具１０は、各足趾において末節骨ＢＮ１近位の関節が基節骨ＢＮ３近位の関節よりも上方に位置するように、各足趾に対して、支持面のうちの、基節骨ＢＮ３近位の関節の下方の部分よりも高い位置にて、支持面のうちの、末節骨ＢＮ１の少なくとも一部の下方の部分を構成する高位部１２を備える。【図１】
0006854038.tif 000002
【図２】
0006854038.tif 000003
【図３】
0006854038.tif 000004
【図４】
0006854038.tif 000005
【図５】
0006854038.tif 000006
【図６】
0006854038.tif 000007
【図７】
0006854038.tif 000008
【図８】
0006854038.tif 000009
【図９】
0006854038.tif 000010
【図１０】
0006854038.tif 000011
【図１１】
0006854038.tif 000012
【図１２】
0006854038.tif 000013
【図１３】
0006854038.tif 000014
【図１４】
0006854038.tif 000015
【図１５】
0006854038.tif 000016
【図１６】
0006854038.tif 000017
【図１７】
0006854038.tif 000018
【図１８】
0006854038.tif 000019
【図１９】
0006854038.tif 000020
【図２０】
0006854038.tif 000021